(57)【要約】【課題】１つの表示装置に表示された画像の視聴者が複数存在する場合であっても、画像に対して、必要な処理を適切に行うことができるとともに、消費電力およびコストの低減が可能な制御方法を提供する。【解決手段】１つの表示装置３０に表示された画像の画質の制御方法であって、画像の視聴者の数が複数である場合、複数の視聴者のそれぞれに係る複数の注視領域に基づいて、画像内における一部の領域を対象領域３８として特定する対象領域特定ステップと、対象領域３８に対して画質制御を行う制御ステップとを備えている。【選択図】図２
2019213203.tif 000002
【特許請求の範囲】
【請求項１】
１つの表示装置に表示された画像の画質の制御方法であって、
前記画像の視聴者の数が複数である場合、当該複数の視聴者のそれぞれに係る複数の注視領域に基づいて、前記画像内における一部の領域を対象領域として特定する対象領域特定ステップと、
前記対象領域に対して画質制御を行う制御ステップとを備えている
ことを特徴とする制御方法。
【請求項２】
請求項１の制御方法において、
前記対象領域特定ステップは、前記複数の注視領域のうち２以上の注視領域の少なくとも一部が重なる領域を、前記対象領域として特定する
ことを特徴とする制御方法。
【請求項３】
請求項１の制御方法において、
前記対象領域特定ステップは、前記複数の注視領域が重ならない場合、前記複数の注視領域を前記対象領域として特定する
ことを特徴とする制御方法。
【請求項４】
請求項１の制御方法において、
前記対象領域特定ステップは、前記複数の注視領域のうち、前記画像内における位置が一定時間固定的である注視領域を前記対象領域として特定する
ことを特徴とする制御方法。
【請求項５】
請求項１の制御方法において、
前記対象領域特定ステップは、前記表示装置と前記視聴者との距離を検出し、前記距離を加味して前記対象領域を特定する
ことを特徴とする制御方法。
【請求項６】
請求項１ないし５の制御方法において、
前記制御ステップは、前記画質制御として高画質化処理を行う
ことを特徴とする制御方法。
【請求項７】
請求項１ないし５の制御方法において、
前記制御ステップは、前記対象領域内の画像のエッジを強調する
ことを特徴とする制御方法。
【請求項８】
請求項１ないし５の制御方法において、
前記制御ステップは、前記対象領域内の画像の表示倍率を拡大する
ことを特徴とする制御方法。
【請求項９】
請求項１ないし５の制御方法において、
前記制御ステップは、前記対象領域に表示された画像に関連する情報を、前記視聴者が所有するモバイル端末に向けて送出する
ことを特徴とする制御方法。
【請求項１０】
請求項１ないし５の制御方法において、
前記制御ステップは、前記対象領域に表示された画像に関連する情報を、前記表示装置に表示する
ことを特徴とする制御方法。
【発明の詳細な説明】
【技術分野】
【０００１】
本開示は、表示装置等に用いられる半導体集積回路に関し、特に、消費電力を低減する技術に関する。
【背景技術】
【０００２】
近年、テレビやディスプレイ等の表示装置に表示される映像の高精細化が進んでいる。映像の高画質化のために、表示装置には、多くの処理や高い性能が必要となってきている。一方、高画質化処理を行うために、回路のコストが増加したり、消費電力が増大したりすることが課題となっている。特に、表示装置の画面サイズが大きいほど、コストや消費電力の増大は顕著となる。
【０００３】
そこで、必要な処理を、画面全体に行うのではなく、画面の一部に行う方法が検討されている。
【０００４】
例えば、画像全体に対して一様にビットレートを割り当てる符号化処理を行うのではなく、画像の視聴者の視線を用いて、視線が向いている領域に対して、より多くの情報量を用いた符号化処理を行う装置が開示されている（例えば、特許文献１参照）。
【０００５】
また、映像の視聴者が１人である場合には、映像の立体化処理を行う一方、複数存在する場合には、当該処理を行わない技術が開示されている（例えば、特許文献２参照）。
【先行技術文献】
【特許文献】
【０００６】
【特許文献１】特開平１−１４１４７９号公報
【特許文献２】特開２０１３−０５５６７５号公報
【発明の概要】
【発明が解決しようとする課題】
【０００７】
特許文献１の技術は、視聴者が１人である場合を対象としているため、これに特許文献２の技術を組み合わせると、視聴者が２人以上である場合には、画面の一部への処理が行われないことになってしまう。つまり、これらの技術の組み合わせでは、複数人がテレビ等で映像を視聴する場合、必要な処理が画面全体に行われず、各視聴者は、適切な映像を視聴することが困難になってしまう。
【０００８】
逆に、視聴者の人数にかかわらず、必要な処理を画面全体に行う場合、消費電力およびコストの増大を招いてしまうという懸念がある。
【０００９】
かかる点に鑑みて、本開示は、画像の視聴者が複数存在する場合であっても、画像に対して、必要な処理を適切に行うことができるとともに、消費電力およびコストの低減が可能な半導体集積回路を提供することを課題とする。
【課題を解決するための手段】
【００１０】
上記課題を解決するため本発明によって次のような解決手段を講じた。すなわち、画像の画質を制御する半導体集積回路は、前記画像の視聴者の数、および当該視聴者に係る前記画像内の注視領域を検出する視聴者検出部と、前記視聴者の数が複数である場合、当該複数の視聴者のそれぞれに係る複数の前記注視領域に基づいて、前記画像内における一部の領域を対象領域として特定する領域特定部と、前記対象領域に対して画質制御を行う制御部とを備えている。
【００１１】
これによると、視聴者が複数存在する場合であっても、例えば、視聴者の視線や顔の向き等に応じて定まる注視領域に基づいて、画像の一部の領域である対象領域が特定される。さらに、対象領域に対して、例えば、視聴者がその対象領域を視認しやすくなるような画質制御処理を行うことができる。
【００１２】
対象領域は、各注視領域と一致していてもよく、複数の注視領域が重なる領域であってもよい。そして、画質制御処理を、画像全体ではなく対象領域に対して行えばよいため、処理範囲が少なくて済んだり、処理能力の軽減が可能であったりする。したがって、半導体集積回路の低消費電力化や低コスト化が可能となる。
【００１３】
また、表示装置は、上記半導体集積回路を備えている。これによると、表示装置の消費電力およびコストの低減が可能となる。
【発明の効果】
【００１４】
本開示によれば、画像の視聴者が複数存在する場合であっても、画像に対して、必要な処理を適切に行うことができるとともに、消費電力およびコストの低減が可能な半導体集積回路を提供することができる。
【図面の簡単な説明】
【００１５】
【図１】図１は、第１の実施形態に係る半導体集積回路のブロック図である。
【図２】図２は、第１の実施形態に係る半導体集積回路の処理を示すフローチャートである。
【図３】図３は、対象領域が特定されるまでの第１の処理例を示すフローチャートである。
【図４】図４は、対象領域が特定されるまでの第２の処理例を示すフローチャートである。
【図５】図５は、対象領域が特定されるまでの第３の処理例を示すフローチャートである。
【図６】図６は、第２の実施形態に係る表示装置の概要図である。
【図７】図７は、注視領域および対象領域の第１の例を説明するための図である。
【図８】図８は、注視領域および対象領域の第１の例を説明するための別の図である。
【図９】図９は、注視領域および対象領域の第２の例を説明するための図である。
【図１０】図１０は、注視領域および対象領域の第２の例を説明するための別の図である。
【図１１】図１１は、注視領域および対象領域の第３の例を説明するための図である。
【図１２】図１２は、注視領域および対象領域の第３の例を説明するための別の図である。
【図１３】図１３は、注視領域および対象領域の第４の例を説明するための図である。
【図１４】図１４は、注視領域および対象領域の第４の例を説明するための別の図である。
【発明を実施するための形態】
【００１６】
＜第１の実施形態＞
図１は、第１の実施形態に係る半導体集積回路のブロック図である。半導体集積回路１０は、テレビ等の表示装置に表示される画像（動画像等を含む。以下、画像と表記する。）の画質を制御するものである。半導体集積回路１０は、情報入力部１２と、表示情報入力部１４と、画像生成部１６と、視聴者検出部１８と、領域特定部２０と、制御部２２と、出力部２４とを有する。
【００１７】
情報入力部１２には、表示装置に表示される画像の情報が入力される。その情報には、視聴者に関する情報である視聴者情報も含まれる。視聴者情報は、例えば、視聴者の人数や注視領域を含んでおり、カメラ等の撮像装置から得ることができる。
【００１８】
なお、情報入力部１２には、センサー、専用グラス、および音声認識装置等から得られる視聴者情報が入力されてもよい。また、視聴者情報として、脳波、心拍数、血圧、年齢、および性別等の情報、視聴者の喜怒哀楽等の感情（視聴者の表情等）を示す情報、および表示装置と視聴者との距離ならびに視聴者が注視領域を見ている時間（以下、注視時間と表記する）を示す情報等が含まれていてもよい。
【００１９】
表示情報入力部１４には、表示装置に出力されるべき情報である表示情報が入力される。表示情報は、例えば、画像に関する情報、圧縮された放送情報、およびネットワークから伝送された文字情報などを含んでいてもよく、その他、表示装置に表示可能な情報（静止画等）であってもよい。
【００２０】
画像生成部１６は、表示情報に基づいて、表示装置に表示される情報である画像情報を生成して出力する。つまり、画像生成部１６の出力が表示装置にそのまま入力されると、通常の画像が表示装置に表示される。
【００２１】
なお、画像情報には文字情報など、画像以外の情報が含まれていてもよい。
【００２２】
また、例えば、表示情報入力部１４と画像生成部１６とが一体となっていてもよく、画像生成部１６を半導体集積回路１０の外部に設け、その出力が半導体集積回路１０に入力されるようにしてもよい。
【００２３】
視聴者検出部１８は、視聴者情報に含まれる任意の情報を検出することができる。例えば、視聴者検出部１８は、視聴者情報に基づいて、視聴者の数や、視聴者が画像内のどの領域を見ているかを示す注視領域等の検出が可能である。注視領域は、例えば、画像内において、視線の先を中心とした所定の範囲を有する領域として求めることができる。
【００２４】
なお、視聴者検出部１８は、視線以外の情報として、視聴者の顔の向きや、その他視聴者情報に含まれる任意の情報を用いて注視領域を検出してもよい。
【００２５】
また、情報入力部１２と視聴者検出部１８とが一体となっていてもよい。
【００２６】
領域特定部２０は、視聴者検出部１８によって検出された、視聴者の数および注視領域に基づいて、画像内の一部の領域である対象領域を特定する。
【００２７】
対象領域とは、画像内において、１以上の視聴者によって特に注目されうる領域ということができる。例えば、複数の注視領域（視聴者）が存在する場合、各注視領域は対象領域の候補であり、各注視領域の少なくとも一部が重なる領域、あるいは各注視領域を対象領域として特定することができる。
【００２８】
なお、領域特定部２０は、対象領域を特定する処理において、視聴者検出部１８の出力に含まれる、距離や注視時間等の他の情報を加味してもよい。また、画像生成部１６の出力が領域特定部２０に入力されてもよく、この場合、例えば、領域特定部２０は、文字情報を含む画像情報を加味して対象領域の特定を行ってもよい。
【００２９】
制御部２２は、画像生成部１６から出力された画像情報における対象領域に対する画質制御として、例えば、視聴者にとって対象領域が見えやすくなるような処理を行う。つまり、制御部２２による画質制御の対象となる領域は、画像全体ではなく、複数の視聴者にとって関心が高いであろう一部の領域である。一般に、視聴者は、画像内の一部の領域（例えば興味の対象が含まれる領域）をより注目して画像を見る傾向があるためである。したがって、制御部２２は、対象領域に例えば高画質化処理を実行し、対象領域がそれ以外の領域よりも高画質となるようにしてもよい。高画質化処理としては、例えば、周波数情報を用いた高精細化や色情報の再現性の向上など様々な処理が考えられる。
【００３０】
出力部２４は、制御部２２によって画質制御がなされた後の情報である出力画像情報を出力する。なお、制御部２２と出力部２４とが一体となっていてもよい。
【００３１】
そして、出力画像情報が表示装置に実際に表示される。
【００３２】
次に、本実施形態に係る半導体集積回路１０の処理の概要について、図２を用いて説明する。
【００３３】
図２は、第１の実施形態に係る半導体集積回路の処理を示すフローチャートである。
【００３４】
ステップＳ１０１において、視聴者情報および表示情報が半導体集積回路１０に入力される。
【００３５】
ステップＳ１０２では、視聴者情報に基づいて、視聴者数および注視領域が検出される。また、表示情報に基づいて画像情報が生成される。
【００３６】
ステップＳ１０３では、視聴者の数が判定される。
【００３７】
視聴者の数が１未満である、つまり視聴者が存在しない場合、注視領域は存在しないため、対象領域は特定されず、ステップＳ１０９に遷移する。したがって、画像には画質制御はなされないため、画像全体は元の画質（例えば低画質）のままである。
【００３８】
また、視聴者の数が１人である場合、ステップＳ１０４において、その視聴者の注視領域が対象領域として特定される。
【００３９】
一方、視聴者の数が２人以上である場合、ステップＳ１０５において、複数の視聴者のそれぞれの注視領域について、他の注視領域と重なっている領域があるか否かが判定される。
【００４０】
重なっている領域がある場合（ステップＳ１０５のＹＥＳ肢）、ステップＳ１０６において、その領域が対象領域として特定される。
【００４１】
一方、重なっている領域がない場合（ステップＳ１０５のＮＯ肢）、ステップＳ１０７において、各注視領域が対象領域として特定される。
【００４２】
対象領域が特定されると、ステップＳ１０８において、その対象領域に対して、例えば高画質化処理等の画質制御が行われて、出力画像情報が生成される。なお、対象領域が複数存在する場合は、各対象領域に対して画質制御が行われる。
【００４３】
そして、ステップＳ１０９では、半導体集積回路１０から出力画像情報が出力される。
【００４４】
以上、本実施形態に係る半導体集積回路１０によると、視聴者が複数存在する場合であっても、各視聴者にとって好適な画質制御がなされた画像の生成が可能である。
【００４５】
ここで、特許文献１には、視聴者の視線に基づいて、画像に対する符号化処理に重み付けを行う技術が開示されている。また、特許文献２には、視聴者が１人である場合にのみ画像に対して立体的に見えるような処理を行い、視聴者が複数である場合にはその処理を行わないという技術が開示されている。
【００４６】
したがって、特許文献１，２の技術を組み合わせでは、視聴者が複数である場合には画像に対して処理がなされないことになる。また、これら従来技術には、視聴者が複数である場合、画像の一部の領域の特定の仕方や、その領域に対して高画質化等の画質制御がなされることついては明記されていない。
【００４７】
これに対して、本実施形態では、視聴者の人数にかかわらず、上述した対象領域に対して画質制御が行われるため、各視聴者は、自身にとって好適な画像を視聴することができる。
【００４８】
また、高画質化処理等の画質制御が、画像全体ではなく、画像の一部である対象領域に対して行われるため、処理範囲が狭くて済み、低消費電力化が可能である。また、画質制御の処理対象範囲が狭くて済むことから、画像全体に対して画質制御が行われる場合に必要とされる処理性能よりも性能の軽減が可能であるため、低コスト化や回路規模の縮小化を図ることができる。
【００４９】
なお、さらなる低消費電力化等のために、ステップＳ１０７において、各注視領域が対象領域に特定されなくてもよい。つまり、複数の注視領域が重なっている領域のみが対象領域として特定されるようにしてもよい。
【００５０】
また、本実施形態では、対象領域が特定されるまでの処理において、視聴者検出部１８の出力に含まれる他の情報を加味してもよいため、以下、いくつかのバリエーションについて説明する。
【００５１】
−第１の処理例−
図３は、対象領域が特定されるまでの第１の処理例を示すフローチャートである。図３のフローチャートは、注視時間を用いる場合の例を示す。なお、視聴者数の検出についての説明は省略する。
【００５２】
ステップＳ２０１では、視聴者情報が入力される。
【００５３】
ステップＳ２０２では、視聴者情報に基づいて、注視領域および注視時間が検出される。
【００５４】
ステップＳ２０３では、前回の検出時から、注視時間が長くなった注視領域の有無が判定される。つまり、より集中して視聴している注視領域の有無が判定される。
【００５５】
注視時間が長くなった注視領域がない場合（ステップＳ２０３のＮＯ肢）、ステップＳ２０４において、注視領域の範囲（面積）が拡大される。つまり、視聴者がその注視領域を集中して視聴しているとは言えないため、その注視領域を対象領域の候補とはしない。
【００５６】
注視時間が長くなった注視領域がある場合（ステップＳ２０３のＹＥＳ肢）、ステップＳ２０５において、注視領域の範囲（面積）が縮小される。つまり、視聴者はその注視領域をより集中して視聴しているため、その注視領域は対象領域の候補となる。
【００５７】
ステップＳ２０６では、ステップＳ２０４，Ｓ２０５の結果に基づいて対象領域が特定される。例えば、面積が所定値以下の注視領域を対象領域とすることができる。
【００５８】
そして、以上の処理が繰り返される。なお、注視領域に基づいて対象領域を特定した後で、注視時間の長短に応じて対象領域の面積を拡大したり、縮小したりしてもよい。つまり、対象領域を決定するためのパラメータに注視時間が含まれていればよい。
【００５９】
このようにすれば、画質制御の対象範囲がより限定的となるため、さらなる低消費電力化や低コスト化を図ることができる。
【００６０】
−第２の処理例−
図４は、対象領域が特定されるまでの第２の処理例を示すフローチャートである。図４のフローチャートは、画像内における注視領域の変位を用いる場合の例を示す。なお、視聴者数の検出についての説明は省略する。
【００６１】
ステップＳ３０１では、視聴者情報が入力される。
【００６２】
ステップＳ３０２では、視聴者情報に基づいて注視領域が検出される。
【００６３】
ステップＳ３０３では、画像内における注視領域の変位が算出される。つまり、注視領域が画像内においてどの程度移動したかがわかる。
【００６４】
ステップＳ３０４では、注視領域の変位が所定値以上かどうかが判定される。
【００６５】
注視領域の変位が所定値以上の場合（ステップＳ３０４のＹＥＳ肢）、ステップＳ３０５において、その注視領域は対象領域の候補から除外される。
【００６６】
一方、注視領域の変位が所定値未満の場合（ステップＳ３０４のＮＯ肢）、ステップＳ３０６において、その注視領域は対象領域の候補となる。
【００６７】
ステップＳ３０７では、ステップＳ３０５，Ｓ３０６の結果に基づいて対象領域が特定される。
【００６８】
そして、以上の処理が繰り返される。このように、視聴者の視線が移動することによって注視領域が移動する場合であっても、その移動の範囲が所定範囲内であれば、注視領域は比較的ゆっくり移動していると言えるため、画像内において注視領域の位置が一定時間固定的であるとみなして、その注視領域を対象領域としてもよい。
【００６９】
これにより、第１の処理例と同様の効果を得ることができる。
【００７０】
なお、上記ステップＳ２０３，Ｓ３０４における判定処理のために、半導体集積回路１０内にメモリ等を設けてもよい。
【００７１】
−第３の処理例−
図５は、対象領域が特定されるまでの第３の処理例を示すフローチャートである。図５のフローチャートは、注視領域に文字情報（映画における字幕表示、ＯＳＤ（On-Screen Display）等）が含まれる場合の例を示す。なお、ここでの処理の対象となる画像は、文字情報と合成される背景画像であり、文字情報を含む字幕領域とは、合成後の画像上で、字幕が存在している領域に対応する背景画像の領域である。すなわち、文字情報と背景画像とが合成された後の画像が処理対象ではない。これは、字幕やＯＳＤ合成箇所周辺では、背景画像の画質が低い方が、文字情報を認識しやすいということを考慮し、背景画像の画質だけを制御可能とすることを前提としているからである。また、視聴者数の検出についての説明は省略する。
【００７２】
ステップＳ４０１では、視聴者情報が入力される。
【００７３】
ステップＳ４０２では、視聴者情報に基づいて注視領域が検出される。
【００７４】
ステップＳ４０３では、映画の字幕や天気予報等の文字情報を含む字幕領域が検出される。なお、ステップＳ４０２，Ｓ４０３の順序は逆でもよい。
【００７５】
ステップＳ４０４では、字幕領域を含む注視領域の有無が判定される。つまり、視聴者が字幕領域を注視しているか否かが判定される。
【００７６】
字幕領域を含む注視領域がある場合（ステップＳ４０４のＮＯ肢）、ステップＳ４０５において、その注視領域は対象領域から除外される。
【００７７】
一方、字幕領域を含む注視領域がない場合（ステップＳ４０４のＹＥＳ肢）、ステップＳ４０６において、その注視領域は対象領域の候補となる。
【００７８】
ステップＳ４０７では、ステップＳ４０５，Ｓ４０６の結果に基づいて対象領域が特定される。
【００７９】
そして、以上の処理が繰り返される。このように、注視領域と字幕領域とが少なくとも一部で重なる場合、その注視領域を対象領域から除外することで、画質制御の対象範囲をより限定的とすることができる。画像に含まれる文字は、その画像に含まれる人物等に比べて高画質化等の画質制御が望まれる場合が少ないと言えるからである。
【００８０】
これにより、第１の処理例と同様の効果を得ることができる。
【００８１】
なお、上記第１〜第３の処理例において、対象領域が特定されるまでにおいて、視聴者情報に含まれる他の情報をパラメータとして用いてもよい。
【００８２】
例えば、視聴者の姿勢情報を入力して、姿勢に応じて注視領域の形状を変更してもよい。また、視聴者の音声情報や生体情報（脳波、心拍数、血圧など）を入力して、視聴者が視聴する対象を分析するようにしてもよい。また、視聴者の表情を元に喜怒哀楽等の感情を取得し、得られた感情から画像（特に注視している対象物）に対する重要度を算出するなどして、複数の対象領域に重み付けをしてもよい。この場合、その重み付けに応じた画質制御がなされるようにしてもよい。
【００８３】
また、視聴者の年齢や性別など、視聴者に関する任意の情報を、対象領域を特定するためのパラメータとして用いてもよい。
【００８４】
また、第１〜第３の処理例を組み合わせて対象領域が特定されるようにしてもよい。
【００８５】
＜第２の実施形態＞
図６は、第２の実施形態に係る表示装置の概要図である。例えばデジタルテレビとしての表示装置３０は、第１の実施形態に係る半導体集積回路１０と、撮像装置３２と、測距センサ３４と、表示部３６とを有する。
【００８６】
撮像装置３２は、表示部３６に表示される画像の視聴者を撮像するカメラ等であり、視聴者情報を半導体集積回路１０に出力する。
【００８７】
測距センサ３４は、表示装置３０と視聴者との距離を測定し、距離情報を半導体集積回路１０に出力する。なお、測距センサ３４の機能を、撮像装置３２に組み込んでもよい。
【００８８】
表示部３６は、半導体集積回路１０からの出力画像情報を受け、視聴者にとって好適な画質制御がなされた画像を表示する。
【００８９】
なお、表示情報は、図示しないアンテナ等を介して半導体集積回路１０に入力される。
【００９０】
このように構成された表示装置３０の表示部３６に表示される画像において、注視領域および対象領域について具体的に説明する。なお、以下の例で用いる各図において、半導体集積回路１０、撮像装置３２、および測距センサ３４を省略している。
【００９１】
−第１の例−
図７および図８は、注視領域および対象領域の第１の例を説明するための図である。図７および図８は、表示部３６にマルチウィンドウ表示される場合を示す。
【００９２】
例えば図７に示すように、表示部３６には複数のウィンドウＷ１〜Ｗ４が表示されており、視聴者ＡがウィンドウＷ１、視聴者ＢがウィンドウＷ４の視聴をそれぞれ開始したとする。
【００９３】
この場合、ウィンドウＷ１，Ｗ４は注視領域３７（図７の破線で囲まれた領域）であるのに対して、ウィンドウＷ２，Ｗ３は、注視領域３７ではない非注視領域である。したがって、ウィンドウＷ１，Ｗ４は対象領域の候補となるが、ウィンドウＷ２，Ｗ３は対象領域から除外される。
【００９４】
この状態において、視聴者ＡがウィンドウＷ１、視聴者ＢがウィンドウＷ４を視聴し続ければ、ウィンドウＷ１，Ｗ４は対象領域として特定される。
【００９５】
一方、図８に示すように、視聴者ＢがウィンドウＷ１を視聴するようになると、視聴者Ａ，Ｂの注視領域が重なるため、ウィンドウＷ１が対象領域３８（図８の斜線で示す領域）として特定される。
【００９６】
−第２の例−
図９および図１０は、注視領域および対象領域の第２の例を説明するための図である。図９および図１０は、男性である視聴者Ａ、および女性である視聴者Ｂが表示部３６の任意の箇所を視聴する場合を示す。
【００９７】
例えば図９に示すように、視聴者Ａ，Ｂの興味の対象物が異なるなどして、視聴者Ａが符号３７Ａで示す領域、視聴者Ｂが符号３７Ｂで示す領域の視聴をそれぞれ開始したとする。
【００９８】
この場合、符号３７Ａ，３７Ｂで示す領域はそれぞれ注視領域３７Ａ，３７Ｂであり、表示部３６のその他の領域は非注視領域３９である。
【００９９】
この状態において、例えば、注視領域３７Ａ，３７Ｂの表示部３６における位置が一定時間固定的である場合、注視領域３７Ａ，３７Ｂは対象領域として特定される。
【０１００】
一方、視聴者Ａ，Ｂの興味の対象物が移動するなどして、注視領域３７Ａ，３７Ｂが図１０に示すような位置に移動した場合、注視領域３７Ａ，３７Ｂの一部が重なるため、この重なった領域（図１０の斜線で示す領域）が対象領域３８として特定される。
【０１０１】
なお、図１０において、注視領域３７Ａ，３７Ｂを含む領域を対象領域３８として特定してもよい。
【０１０２】
−第３の例−
図１１および図１２は、注視領域および対象領域の第３の例を説明するための図である。図１１および図１２は、視聴者Ａ，Ｂと表示装置３０とのそれぞれの距離が異なる場合を示す。
【０１０３】
例えば図１１に示すように、視聴者Ａは注視領域３７Ａ、視聴者Ｂは注視領域３７Ｂをそれぞれの位置から視聴しているとする。
【０１０４】
表示装置３０と視聴者Ａ，Ｂとの距離は、測距センサ３４（図６参照）によって得ることができるため、表示装置３０からの距離が視聴者Ｂよりも視聴者Ａの方が遠い場合、注視領域３７Ａを対象領域から除外することができる。
【０１０５】
表示装置３０からの距離が遠い場合、画像の高画質化は視聴者によって認識しづらい可能性があるからである。
【０１０６】
その結果、図１２に示すように、表示部３６に近い視聴者Ｂに係る注視領域３７Ｂが対象領域３８として特定される。なお、視聴者Ａが表示装置３０に近づいた場合には、注視領域３７Ａも対象領域３８として特定されてもよく、視聴者Ｂが表示装置３０から離れた場合には、注視領域３７Ｂが対象領域３８から除外されてもよい。
【０１０７】
また、表示装置３０からの距離が近い方の視聴者に係る注視領域を対象領域とするのではなく、表示装置３０からの距離が所定値以下である視聴者に係る注視領域を対象領域としてもよい。
【０１０８】
つまり、対象領域を決定するためのパラメータに距離が含まれてもよい。
【０１０９】
−第４の例−
図１３および図１４は、注視領域および対象領域の第４の例を説明するための図である。図１３および図１４は、大人である視聴者Ａと子供である視聴者Ｂとが表示部３６の任意の場所を視聴する場合を示す。
【０１１０】
例えば図１３に示すように、視聴者Ａは注視領域３７Ａ、視聴者Ｂは注視領域３７Ｂをそれぞれ視聴しているとする。
【０１１１】
この場合、図１４に示すように、注視領域３７Ａは対象領域３８として特定される一方、注視領域３７Ｂは対象領域から除外される。子供よりも大人の方が、高画質化等された画像を認識しやすいためである。
【０１１２】
以上、第１〜第４の例において、対象領域３８に高画質化処理などの画質制御がなされることにより、視聴者Ａ，Ｂの少なくとも一方にとって好適な画質の画像を得ることができるとともに、画質制御がなされる範囲は表示部３６全体よりも狭いため、低消費電力化および低コスト化が可能となる。
【０１１３】
なお、上記第１〜第４の例において、非注視領域３９に対して間引き処理等を行ってもよいし、第１〜第４の例を任意に組み合わせてもよい。
【０１１４】
また、対象領域への画質制御はリモコン等によって設定可能としてもよく、対象領域が複数存在する場合、各対象領域にどのような画質制御を行うかを独立して設定可能としてもよい。
【０１１５】
また、画質制御は、高画質化処理以外に、視聴者にとって便益があるものであればよい。例えば、輝度、明度、彩度、および色相を調整したり、対象領域に含まれる人物等のエッジを強調するなどして、より鮮明に見えるようにしたりしてもよい。
【０１１６】
また、対象領域に含まれる人物等に関連する情報を表示するために、対象領域の面積を拡大してもよいし、視聴者にとって対象領域が見えやすくなるように、対象領域内の画像の表示倍率を拡大してもよい。その関連情報は、視聴者が所有するモバイル端末に表示されるようにしてもよい。
【０１１７】
また、制御部２２は、画像生成部１６からの画像情報を元に領域特定部２０の出力を補正してもよい。例えば、画像情報に含まれる人物等の境界やエッジを検出し、それに基づいて、対象領域に含まれる画像情報を補正してもよい。また、制御部２２には、画像情報に含まれる人物等の内訳を示すタグ情報が入力されてもよく、この場合、タグ情報を元に、対象領域に含まれる画像情報を補正してもよい。
【０１１８】
また、視聴者が複数の注視領域を間断的に視聴している場合、各注視領域の注視時間の履歴を保持しておき、注視時間の合計が所定値以上となった注視領域が対象領域として特定されるようにしてもよい。
【０１１９】
また、複数の視聴者が画像を視聴する順番を考慮して対象領域を特定してもよく、複数の注視領域が重なる領域を含む各注視領域を対象領域として特定してもよい。
【０１２０】
また、例えば、視聴者の年齢や視力、表示装置３０の所有者等の、固定的な情報をリモコン等によって設定可能であってもよく、例えば、高齢であったり、視力が低かったりする視聴者の注視領域や、所有者の注視領域が優先的に対象領域となるようにしてもよい。
【０１２１】
上記第２の実施形態では、表示装置がデジタルテレビである場合について説明したが、パソコンやプロジェクタなど、画像の表示が可能な装置であればよい。
【産業上の利用可能性】
【０１２２】
本開示に係る半導体集積回路は、複数人が視聴する場合であっても、表示装置に表示される画像内において、各自が特に注目する領域に高画質化処理等を行うことができるため、低消費電力化や低コスト化が求められる、大画面テレビやモニタ等の表示装置に有用である。
【符号の説明】
【０１２３】
１０                    半導体集積回路
１６                    画像生成部
１８                    視聴者検出部
２０                    領域特定部
２２                    制御部
３０                    表示装置
３２                    撮像装置
３７，３７Ａ，３７Ｂ    注視領域
３８                    対象領域
Ａ，Ｂ                  視聴者
【図１】
2019213203.tif 000003
【図２】
2019213203.tif 000004
【図３】
2019213203.tif 000005
【図４】
2019213203.tif 000006
【図５】
2019213203.tif 000007
【図６】
2019213203.tif 000008
【図７】
2019213203.tif 000009
【図８】
2019213203.tif 000010
【図９】
2019213203.tif 000011
【図１０】
2019213203.tif 000012
【図１１】
2019213203.tif 000013
【図１２】
2019213203.tif 000014
【図１３】
2019213203.tif 000015
【図１４】
2019213203.tif 000016